【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】（１）（ａ）α−炭素原子に１〜３個の炭素原子のアルキル基が置換したアクリル酸のエステル及び（ｂ）（ｉ）α−炭素原子に１〜３個の炭素原子のアルキル基が置換したアクリル酸のエステルと（ｉｉ）非置換アクリル酸のエステル又はα−炭素原子に１〜３個の炭素原子のアルキル基が置換したアクリル酸との組合せ、から成る群から選ばれるモノマーをグラフト重合したプロピレンポリマー材料の幹を含むグラフトコポリマーと、（２）約１質量％〜約２５質量％のフッ素化オレフィンポリマーとを含む組成物であって、重合したモノマー対フッ素化オレフィンポリマーの比が約２５：１〜約０．５：１である事を特徴とする組成物。
【請求項２】ポリプロピレンポリマー材料が、
（１）８０よりも大きいアイソタクチック指数を有するプロピレンのホモポリマー、
（２）プロピレンと、エチレン及び４〜１０個の炭素原子のα−オレフィンから成る群から選ばれるオレフィンとのコポリマー（但し、オレフィンがエチレンである時は、最大の重合エチレン含有量は約１０質量％であり、オレフィンが４〜１０個の炭素原子のα−オレフィンである時は、最大の重合α−オレフィン含有量は約２０質量％である）であって、８５よりも大きいアイソタクチック指数を有するコポリマー、
（３）プロピレンと、エチレン及び４〜８個の炭素原子のα−オレフィンから成る群から選ばれる二種類のオレフィンとのターポリマー（但し、最大の重合４〜８個の炭素原子のα−オレフィン含有量は２０質量％であり、エチレンがオレフィンの一種である時は、最大の重合エチレン含有量は５質量％である）であって、８５よりも大きいアイソタクチック指数を有するターポリマー、
（４）（ａ）約１０質量％〜約６０質量％の、８０よりも大きいアイソタクチック指数を有するプロピレンホモポリマー又は（ｉ）プロピレンとエチレン、（ｉｉ）プロピレン、エチレン及び４〜８個の炭素原子のα−オレフィン、及び（ｉｉｉ）プロピレンと４〜８個の炭素原子のα−オレフィンから成る群から選ばれるモノマーのコポリマーであって、８５質量％よりも多い重合プロピレン含有量と８５よりも大きいアイソタクチック指数を有するコポリマー、
（ｂ）約５質量％〜約２５質量％の、エチレンと、プロピレン又は４〜８個の炭素原子のα−オレフィンとのコポリマーであって、周囲温度でキシレンに不溶のコポリマー、及び
（ｃ）約３０質量％〜約７０質量の、（ｉ）エチレンとプロピレン（ｉｉ）エチレン、プロピレン及び４〜８個の炭素原子のα−オレフィン、及び（ｉｉｉ）エチレンと４〜８個の炭素原子のα−オレフィンから成る群から選ばれるモノマーの弾性コポリマーであって、７０質量％未満の重合エチレンを含み、周囲温度でキシレンに可溶であり、１３５℃でデカヒドロナフタレン中で測定された極限粘度が約１．５〜約４．０ｄｌ／ｇである弾性コポリマーを含むオレフィンポリマー組成物であって、（ｂ）と（ｃ）の量が、全オレフィンポリマー組成物当たり約５０質量％〜約９０質量％であり、（ｂ）／（ｃ）の質量比が０．４未満であり、少なくとも二段階での重合によって調製され、１５０ＭＰａ未満の曲げ弾性率を有するオレフィンポリマー組成物、及び
（５）（ａ）約１０質量％〜６０質量％の、８０よりも大きいアイソタクチック指数を有するプロピレンホモポリマー、又は、（ｉ）エチレンとプロピレン、（ｉｉ）エチレン、プロピレン及び４〜８個の炭素原子のα−オレフィン、及び（ｉｉｉ）エチレンと４〜８個の炭素原子のα−オレフィンから成る群から選ばれるモノマーのコポリマーであって、８５質量％よりも多い重合プロピレン含有量と８５よりも大きいアイソタクチック指数を有するコポリマー、
（ｂ）約２０質量％〜約６０質量％の、（ｉ）エチレンとプロピレン、（ｉｉ）エチレン、プロピレン及び４〜８個の炭素原子のα−オレフィン、及び（ｉｉｉ）エチレンと４〜８個の炭素原子のα−オレフィンから成る群から選ばれるモノマーの無定形コポリマーであって、７０質量％未満の重合エチレンを含み、周囲温度でキシレンに可溶である無定形コポリマー、及び
（ｃ）約３質量％〜約４０質量の、エチレンと、プロピレン又は４〜８個の炭素原子のα−オレフィンとのコポリマーであって、周囲温度でキシレンに不溶のコポリマーとを含む熱可塑性オレフィンであって、１５０ＭＰａより大きく１２００ＭＰａ未満の曲げ弾性率を有する熱可塑性オレフィン、
から成る群から選ばれる、請求項１に記載の組成物。
【請求項３】プロピレンポリマー材料がプロピレンホモポリマーである、請求項２に記載の組成物。
【請求項４】モノマーがメチルメタクリレートとメチルアクリレートとの組合せである、請求項１に記載の組成物。
【請求項５】更に、（３）組成物の全質量当たり約３質量％〜約２５質量％の、（ａ）オレフィンコポリマーゴム、（ｂ）モノアルケニル芳香族炭化水素−共役ジエンブロックコポリマー及び（ｃ）コアーシェルゴムから成る群から選ばれる少なくとも一種のゴム成分を含み、（１）＋（２）＋（３）＝１００質量％である、請求項１に記載の組成物。
【請求項６】更に、（４）組成物の全質量当たり約１０質量％〜約６０質量％の、広い分子量分布のプロピレンポリマー材料を含み、（１）＋（２）＋（４）＝１００質量％である、請求項１に記載の組成物。
【請求項７】更に、（４）組成物の全質量当たり約１０質量％〜約６０質量％の、広い分子量分布のプロピレンポリマー材料を含み、（１）＋（２）＋（３）＋（４）＝１００質量％である、請求項５に記載の組成物。
【請求項８】更に、組成物の全質量当たり約１質量％〜約４０質量％の、最大長が１．２７ｃｍ（１／２インチ）のガラス繊維を含む、請求項１に記載の組成物。
【請求項９】更に、組成物の全質量当たり約１質量％〜約４０質量％の、最大長が１．２７ｃｍ（１／２インチ）のガラス繊維を含む、請求項５に記載の組成物。
【請求項１０】重合モノマー対フッ素化ポリマーの比が１０：１〜０．５：１である、請求項１に記載の組成物。
【請求項１１】グラフトコポリマーの熱安定性を改善する為の方法であって、
（１）（ａ）α−炭素原子に１〜３個の炭素原子のアルキル基が置換したアクリル酸のエステル及び（ｂ）（ｉ）α−炭素原子に１〜３個の炭素原子のアルキル基が置換したアクリル酸のエステルと（ｉｉ）非置換アクリル酸のエステル又はα−炭素原子に１〜３個の炭素原子のアルキル基が置換したアクリル酸との組合せ、から成る群から選ばれるモノマーをグラフト重合したプロピレンポリマー材料の幹を含むグラフトコポリマーと、
（２）約１質量％〜約２５質量％のフッ素化オレフィンポリマー、
とをブレンドする、
事を含み、重合したモノマー対フッ素化オレフィンポリマーの比が約２５：１〜約０．５：１である事を特徴とする方法。
【請求項１２】更に、（１）＋（２）と、（３）組成物の全質量当たり約３質量％〜約２５質量％の、（ａ）オレフィンコポリマーゴム、（ｂ）モノアルケニル芳香族炭化水素−共役ジエンブロックコポリマー及び（ｃ）コアーシェルゴムから成る群から選ばれる少なくとも一種のゴム成分とをブレンドする事を含み、（１）＋（２）＋（３）＝１００質量％である、請求項１１に記載の方法。
【請求項１３】更に、（１）＋（２）と、（４）組成物の全質量当たり約１０質量％〜約６０質量％の、広い分子量分布のプロピレンポリマー材料とをブレンドする事を含み、（１）＋（２）＋（４）＝１００質量％である、請求項１１に記載の方法。
【請求項１４】更に、（１）（２）及び（３）と、（４）組成物の全質量当たり約１０質量％〜約６０質量％の、広い分子量分布のプロピレンポリマー材料とをブレンドする事を含み、（１）＋（２）＋（３）＋（４）＝１００質量％である、請求項１２に記載の方法。
【請求項１５】更に、（１）＋（２）と、（５）組成物の全質量当たり約１質量％〜約４０質量％の、最大長が１．２７ｃｍ（１／２インチ）のガラス繊維とをブレンドする事を含み、（１）＋（２）＋（５）＝１００質量％である、請求項１１に記載の方法。
【請求項１６】更に、（１）（２）及び（３）と、（５）組成物の全質量当たり約１質量％〜約４０質量％の、最大長が１．２７ｃｍ（１／２インチ）のガラス繊維とをブレンドする事を含み、（１）＋（２）＋（３）＋（５）＝１００質量％である、請求項１２に記載の方法。